(57)【特許請求の範囲】
【請求項１】
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定値が前記目標値に近づくように表示設定を調整する連携キャリブレーションを実行することにより、第２の表示設定を決定する第２決定手段と、
外部装置から入力された画像信号に基づく画像である外部入力画像を表示する際に、外部装置の出力設定または第２の表示設定が前回の外部入力画像表示時の設定と異なるか否かの判定を行う判定手段と、
を有し、
前記判定手段は、外部入力画像を表示する際に、第２の表示設定で第２キャリブレーション用画像を表示し、前記測定手段で測定された該第２キャリブレーション用画像の測定値と前記目標値との差が所定の閾値より大きい場合に、外部装置の出力設定または第２の表示設定が前回の外部入力画像表示時の設定と異なると判定し、
前記第２決定手段は、前記判定手段で、外部装置の出力設定または第２の表示設定が前回の外部入力画像表示時の設定と異なると判定された場合に、連携キャリブレーションを実行する
ことを特徴とする表示装置。
【請求項２】
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定
値が前記目標値に近づくように表示設定を調整する連携キャリブレーションを実行することにより、第２の表示設定を決定する第２決定手段と、
外部装置から入力された画像信号に基づく画像である外部入力画像を表示する際に、外部装置の出力設定または第２の表示設定が前回の外部入力画像表示時の設定と異なるか否かの判定を行う判定手段と、
を有し、
前記判定手段は、外部入力画像を表示する際に、第２の表示設定で第２キャリブレーション用画像を表示し、該第２キャリブレーション用画像の測定値と、第１の表示設定で表示された第１キャリブレーション用画像の測定値との差が所定の閾値より大きい場合に、外部装置の出力設定または第２の表示設定が前回の外部入力画像表示時の設定と異なると判定し、
前記第２決定手段は、前記判定手段で、外部装置の出力設定または第２の表示設定が前回の外部入力画像表示時の設定と異なると判定された場合に、連携キャリブレーションを実行する
ことを特徴とする表示装置。
【請求項３】
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定値が前記目標値に近づくように表示設定を調整する連携キャリブレーションを実行することにより、第２の表示設定を決定する第２決定手段と、
外部装置から入力された画像信号に基づく画像である外部入力画像を表示する際に、第２の表示設定が前回の外部入力画像表示時の設定と異なるか否かの判定を行う判定手段と、
過去の単体キャリブレーションの実行日時と、過去の連携キャリブレーションの実行日時とを記憶する記憶手段と、
を有し、
前記判定手段は、外部入力画像を表示する際に、連携キャリブレーションの最後の実行日時が単体キャリブレーションの最後の実行日時よりも前である場合に、第２の表示設定が前回の外部入力画像表示時の設定と異なると判定し、
前記第２決定手段は、前記判定手段で、第２の表示設定が前回の外部入力画像表示時の設定と異なると判定された場合に、連携キャリブレーションを実行する
ことを特徴とする表示装置。
【請求項４】
前記表示装置に画像信号を出力する外部装置は変更可能であり、
前記第２決定手段は、外部装置毎に、連携キャリブレーションの実行、及び、第２の表示設定の決定を行い、
前記記憶手段は、外部装置毎に、連携キャリブレーションの過去の実行日時を記憶し、
前記判定手段は、外部装置から入力された画像信号に基づく外部入力画像を表示する際に、該外部装置の連携キャリブレーションが過去に実行されていない場合、及び、該連携キャリブレーションの最後の実行日時が単体キャリブレーションの最後の実行日時よりも前である場合に、第２の表示設定が前回の外部入力画像表示時の設定と異なると判定することを特徴とする請求項３に記載の表示装置。
【請求項５】
前記外部装置からの画像信号の入力の検出を行う検出手段をさらに有し、
前記第１決定手段は、キャリブレーションの実行を指示するユーザ操作が行われた場合
に、前記単体キャリブレーションを実行し、
前記第２決定手段は、
前記ユーザ操作が行われ、且つ、前記検出手段により前記外部装置からの画像信号の入力が検出された場合に、前記連携キャリブレーションを実行し、
前記ユーザ操作が行われ、且つ、前記検出手段により前記外部装置からの画像信号の入力が検出されなかった場合に、前記連携キャリブレーションの実行を省略する
ことを特徴とする請求項１〜４のいずれか１項に記載の表示装置。
【請求項６】
前記第２決定手段は、前記単体キャリブレーションの実行が完了したことに応じて、前記検出手段による前記検出の結果を取得する
ことを特徴とする請求項５に記載の表示装置。
【請求項７】
前記判定手段は、表示対象の画像を前記外部入力画像に切り替えるユーザ操作に応じて、前記判定を行う
ことを特徴とする請求項１〜６のいずれか１項に記載の表示装置。
【請求項８】
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の測定値が前記目標値に近づくように表示設定を調整する連携キャリブレーションを実行することにより、第２の表示設定を決定する第２決定ステップと、
外部装置から入力された画像信号に基づく画像である外部入力画像を表示する際に、外部装置の出力設定または第２の表示設定が前回の外部入力画像表示時の設定と異なるか否かの判定を行う判定ステップと、
を有し、
前記判定ステップでは、外部入力画像を表示する際に、第２の表示設定で第２キャリブレーション用画像を表示し、前記測定ステップで測定された該第２キャリブレーション用画像の測定値と前記目標値との差が所定の閾値より大きい場合に、外部装置の出力設定または第２の表示設定が前回の外部入力画像表示時の設定と異なると判定し、
前記第２決定ステップでは、前記判定ステップで、外部装置の出力設定または第２の表示設定が前回の外部入力画像表示時の設定と異なると判定された場合に、連携キャリブレーションを実行する
ことを特徴とする表示装置の制御方法。
【請求項９】
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の測定値が前記目標値に近づくように表示設定を調整する連携キャリブレーションを実行することにより、第２の表示設定を決定する第２決定ステップと、
外部装置から入力された画像信号に基づく画像である外部入力画像を表示する際に、外部装置の出力設定または第２の表示設定が前回の外部入力画像表示時の設定と異なるか否かの判定を行う判定ステップと、
を有し、
前記判定ステップでは、外部入力画像を表示する際に、第２の表示設定で第２キャリブレーション用画像を表示し、該第２キャリブレーション用画像の測定値と、第１の表示設定で表示された第１キャリブレーション用画像の測定値との差が所定の閾値より大きい場合に、外部装置の出力設定または第２の表示設定が前回の外部入力画像表示時の設定と異なると判定し、
前記第２決定ステップでは、前記判定ステップで、外部装置の出力設定または第２の表示設定が前回の外部入力画像表示時の設定と異なると判定された場合に、連携キャリブレーションを実行する
ことを特徴とする表示装置の制御方法。
【請求項１０】
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の測定値が前記目標値に近づくように表示設定を調整する連携キャリブレーションを実行することにより、第２の表示設定を決定する第２決定ステップと、
外部装置から入力された画像信号に基づく画像である外部入力画像を表示する際に、第２の表示設定が前回の外部入力画像表示時の設定と異なるか否かの判定を行う判定ステップと、
過去の単体キャリブレーションの実行日時と、過去の連携キャリブレーションの実行日時とを記憶する記憶ステップと、
を有し、
前記判定ステップでは、外部入力画像を表示する際に、連携キャリブレーションの最後の実行日時が単体キャリブレーションの最後の実行日時よりも前である場合に、第２の表示設定が前回の外部入力画像表示時の設定と異なると判定し、
前記第２決定ステップでは、前記判定ステップで、第２の表示設定が前回の外部入力画像表示時の設定と異なると判定された場合に、連携キャリブレーションを実行する
ことを特徴とする表示装置の制御方法。
【請求項１１】
前記表示装置に画像信号を出力する外部装置は変更可能であり、
前記第２決定ステップでは、外部装置毎に、連携キャリブレーションの実行、及び、第２の表示設定の決定を行い、
前記記憶ステップでは、外部装置毎に、連携キャリブレーションの過去の実行日時を記憶し、
前記判定ステップでは、外部装置から入力された画像信号に基づく外部入力画像を表示する際に、該外部装置の連携キャリブレーションが過去に実行されていない場合、及び、該連携キャリブレーションの最後の実行日時が単体キャリブレーションの最後の実行日時よりも前である場合に、第２の表示設定が前回の外部入力画像表示時の設定と異なると判定する
ことを特徴とする請求項１０に記載の表示装置の制御方法。
【請求項１２】
前記外部装置からの画像信号の入力の検出を行う検出ステップをさらに有し、
前記第１決定ステップでは、キャリブレーションの実行を指示するユーザ操作が行われた場合に、前記単体キャリブレーションを実行し、
前記第２決定ステップでは、
前記ユーザ操作が行われ、且つ、前記検出ステップにより前記外部装置からの画像信
号の入力が検出された場合に、前記連携キャリブレーションを実行し、
前記ユーザ操作が行われ、且つ、前記検出ステップにより前記外部装置からの画像信号の入力が検出されなかった場合に、前記連携キャリブレーションの実行を省略する
ことを特徴とする請求項８〜１１のいずれか１項に記載の表示装置の制御方法。
【請求項１３】
前記第２決定ステップでは、前記単体キャリブレーションの実行が完了したことに応じて、前記検出ステップによる前記検出の結果を取得する
ことを特徴とする請求項１２に記載の表示装置の制御方法。
【請求項１４】
前記判定ステップでは、表示対象の画像を前記外部入力画像に切り替えるユーザ操作に応じて、前記判定を行う
ことを特徴とする請求項８〜１３のいずれか１項に記載の表示装置の制御方法。
【発明の詳細な説明】
【技術分野】
【０００１】
本発明は、表示装置及びその制御方法に関する。
【背景技術】
【０００２】
高精細の医用モニタ（医用画像表示用の表示装置）は、一般に、ＰＣ（パーソナルコンピュータ）などの外部装置から出力された医用画像を表示する。しかし、今後は、医用モニタが高機能化し、医用画像をモニタ単体で簡易表示できる医用モニタが開発されることが予想される。また、そのような医用モニタとして、持ち運び可能なモニタ（表示装置）が開発されることが予想される。このような医用モニタを利用すれば、通常の読影を高機能なＰＣ（ＰＣ内に記憶されているソフトウェア）とモニタを用いて行い、患者への説明等をモニタのみを用いて（医用画像をモニタ単体で簡易表示して）行うことが可能になる。また、そのような医用モニタがネットワークに接続されることが予想される。そして、ネットワークから画像を取得し、表示する医用モニタが開発されることが予想される。
【０００３】
上述のようなモニタの場合、表示する画像の見え方（表示特性）を目標値に一致させる必要がある。ところが、ＰＣから入力された画像（以下、外部入力画像）は、ＰＣに設けられたグラフィックボードの特性やＰＣ内での処理（例えば、ＰＣ内で行われる画像処理）によって、変化することがある。即ち、同じ画像であっても、外部入力画像とモニタ単体で表示する画像（単体表示画像）とでは、表示特性が異なることがある。そのため、表示特性のキャリブレーションとして、外部入力画像の表示特性のキャリブレーション（以下、連携キャリブレーション）と、単体表示画像の表示特性のキャリブレーション（以下、単体キャリブレーション）を行う必要がある。
【０００４】
キャリブレーションに関する従来技術は、例えば、特許文献１，２に開示されている。
具体的には、特許文献１には、ソフトキャリブレーションの結果をデバイスキャリブレーションの結果に基づいて修正する技術が開示されている。ソフトキャリブレーションは、プリンタの印刷結果をスキャナで読み取ることにより得られたデータに基づいて行われるものである。デバイスキャリブレーションは、プリンタ内で自動的に行われるものであり、感光ドラム上に形成された潜像の電位や、トナー像の濃度に基づいて行われるものである。
特許文献２には、液晶表示部に対向して設けられた測光部で測光し、測光結果と所定の理想値との差分値に基づいてキャリブレーションを行う技術が開示されている。
【先行技術文献】
【特許文献】
【０００５】
【特許文献１】特開２００２−０５７９１１号公報
【特許文献２】特開２００５−２０８５４８号公報
【発明の概要】
【発明が解決しようとする課題】
【０００６】
しかしながら、モニタが単体キャリブレーションと連携キャリブレーションを行った後であっても、外部入力画像の表示特性と単体表示画像の表示特性とが異なってしまうことがある。例えば、モニタ（第１モニタ）をＰＣ（第１ＰＣ）から取り外して持ち出している間に、別のユーザが第１ＰＣに他のモニタ（第２モニタ）を接続し、第１ＰＣが出力する画像の色合い等の設定（第１ＰＣの出力設定）を変更することがある。そのような変更がされてしまうと、第１モニタと第１ＰＣを再度接続し、第１ＰＣが出力する画像を第１モニタに表示した場合に、第１モニタでの該画像（外部入力画像）の表示特性が、第１モ
ニタの単体表示画像の表示特性と異なってしまう。また、第１モニタに接続するＰＣを、連携キャリブレーション実行時に接続されていた第１ＰＣから、第１ＰＣとは異なる第２ＰＣへ変更した場合に、第１モニタの外部入力画像の表示特性が、第１モニタの単体表示画像の表示特性と異なってしまうことがある。
【０００７】
本発明は、外部装置から入力された画像信号に基づく画像とモニタ単体で表示する画像とで表示特性が異なってしまうことを抑制することのできる技術を提供することを目的とする。
【課題を解決するための手段】
【０００８】
本発明の第１の表示装置は、
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定値が前記目標値に近づくように表示設定を調整する連携キャリブレーションを実行することにより、第２の表示設定を決定する第２決定手段と、
外部装置から入力された画像信号に基づく画像である外部入力画像を表示する際に、外部装置の出力設定または第２の表示設定が前回の外部入力画像表示時の設定と異なるか否かの判定を行う判定手段と、
を有し、
前記判定手段は、外部入力画像を表示する際に、第２の表示設定で第２キャリブレーション用画像を表示し、前記測定手段で測定された該第２キャリブレーション用画像の測定値と前記目標値との差が所定の閾値より大きい場合に、外部装置の出力設定または第２の表示設定が前回の外部入力画像表示時の設定と異なると判定し、
前記第２決定手段は、前記判定手段で、外部装置の出力設定または第２の表示設定が前回の外部入力画像表示時の設定と異なると判定された場合に、連携キャリブレーションを実行する
ことを特徴とする。
本発明の第２の表示装置は、
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定値が前記目標値に近づくように表示設定を調整する連携キャリブレーションを実行するこ
とにより、第２の表示設定を決定する第２決定手段と、
外部装置から入力された画像信号に基づく画像である外部入力画像を表示する際に、外部装置の出力設定または第２の表示設定が前回の外部入力画像表示時の設定と異なるか否かの判定を行う判定手段と、
を有し、
前記判定手段は、外部入力画像を表示する際に、第２の表示設定で第２キャリブレーション用画像を表示し、該第２キャリブレーション用画像の測定値と、第１の表示設定で表示された第１キャリブレーション用画像の測定値との差が所定の閾値より大きい場合に、外部装置の出力設定または第２の表示設定が前回の外部入力画像表示時の設定と異なると判定し、
前記第２決定手段は、前記判定手段で、外部装置の出力設定または第２の表示設定が前回の外部入力画像表示時の設定と異なると判定された場合に、連携キャリブレーションを実行する
ことを特徴とする。
本発明の第３の表示装置は、
画面上に表示された画像を測定する測定手段と、
予め記憶されている第１キャリブレーション用画像を表示し、前記測定手段で測定された該第１キャリブレーション用画像の測定値が目標値に近づくように表示設定を調整する単体キャリブレーションを実行することにより、第１の表示設定を決定する第１決定手段と、
外部装置から入力されたキャリブレーション用の画像信号に基づく第２キャリブレーション用画像を表示し、前記測定手段で測定された該第２キャリブレーション用画像の測定値が前記目標値に近づくように表示設定を調整する連携キャリブレーションを実行することにより、第２の表示設定を決定する第２決定手段と、
外部装置から入力された画像信号に基づく画像である外部入力画像を表示する際に、第２の表示設定が前回の外部入力画像表示時の設定と異なるか否かの判定を行う判定手段と、
過去の単体キャリブレーションの実行日時と、過去の連携キャリブレーションの実行日時とを記憶する記憶手段と、
を有し、
前記判定手段は、外部入力画像を表示する際に、連携キャリブレーションの最後の実行日時が単体キャリブレーションの最後の実行日時よりも前である場合に、第２の表示設定が前回の外部入力画像表示時の設定と異なると判定し、
前記第２決定手段は、前記判定手段で、第２の表示設定が前回の外部入力画像表示時の設定と異なると判定された場合に、連携キャリブレーションを実行する
ことを特徴とする。
【０００９】
本発明の第１の表示装置の制御方法は、
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の
測定値が目標値に近づくように表示設定を調整する連携キャリブレーションを実行することにより、第２の表示設定を決定する第２決定ステップと、
外部装置から入力された画像信号に基づく画像である外部入力画像を表示する際に、外部装置の出力設定または第２の表示設定が前回の外部入力画像表示時の設定と異なるか否かを判定する判定ステップと、
を有し、
前記判定ステップでは、外部入力画像を表示する際に、第２の表示設定で第２キャリブレーション用画像を表示し、前記測定ステップで測定された該第２キャリブレーション用画像の測定値と前記目標値との差が所定の閾値より大きい場合に、外部装置の出力設定または第２の表示設定が前回の外部入力画像表示時の設定と異なると判定し、
前記第２決定ステップでは、前記判定ステップで、外部装置の出力設定または第２の表示設定が前回の外部入力画像表示時の設定と異なると判定された場合に、連携キャリブレーションが実行される
ことを特徴とする。
本発明の第２の表示装置の制御方法は、
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の測定値が前記目標値に近づくように表示設定を調整する連携キャリブレーションを実行することにより、第２の表示設定を決定する第２決定ステップと、
外部装置から入力された画像信号に基づく画像である外部入力画像を表示する際に、外部装置の出力設定または第２の表示設定が前回の外部入力画像表示時の設定と異なるか否かの判定を行う判定ステップと、
を有し、
前記判定ステップでは、外部入力画像を表示する際に、第２の表示設定で第２キャリブレーション用画像を表示し、該第２キャリブレーション用画像の測定値と、第１の表示設定で表示された第１キャリブレーション用画像の測定値との差が所定の閾値より大きい場合に、外部装置の出力設定または第２の表示設定が前回の外部入力画像表示時の設定と異なると判定し、
前記第２決定ステップでは、前記判定ステップで、外部装置の出力設定または第２の表示設定が前回の外部入力画像表示時の設定と異なると判定された場合に、連携キャリブレーションを実行する
ことを特徴とする。
本発明の第３の表示装置の制御方法は、
画面上に表示された画像を測定する測定ステップと、
予め記憶されている第１キャリブレーション用画像を表示し、前記測定ステップで測定された該第１キャリブレーション用画像の測定値が目標値に近づくように表示設定を調整する単体キャリブレーションを実行することにより、第１の表示設定を決定する第１決定ステップと、
外部装置から入力されたキャリブレーション用の画像信号に基づく第２キャリブレーション用画像を表示し、前記測定ステップで測定された該第２キャリブレーション用画像の測定値が前記目標値に近づくように表示設定を調整する連携キャリブレーションを実行することにより、第２の表示設定を決定する第２決定ステップと、
外部装置から入力された画像信号に基づく画像である外部入力画像を表示する際に、第２の表示設定が前回の外部入力画像表示時の設定と異なるか否かの判定を行う判定ステップと、
過去の単体キャリブレーションの実行日時と、過去の連携キャリブレーションの実行日時とを記憶する記憶ステップと、
を有し、
前記判定ステップでは、外部入力画像を表示する際に、連携キャリブレーションの最後の実行日時が単体キャリブレーションの最後の実行日時よりも前である場合に、第２の表示設定が前回の外部入力画像表示時の設定と異なると判定し、
前記第２決定ステップでは、前記判定ステップで、第２の表示設定が前回の外部入力画像表示時の設定と異なると判定された場合に、連携キャリブレーションを実行する
ことを特徴とする。
【発明の効果】
【００１０】
本発明によれば、外部装置から入力された画像信号に基づく画像とモニタ単体で表示す
る画像とで表示特性が異なってしまうことを抑制することができる。
【図面の簡単な説明】
【００１１】
【図１】実施例１に係る表示システムの一例
【図２】実施例１に係る表示装置のハードウェア構成の一例
【図３】実施例１に係る表示装置の機能構成の一例
【図４】実施例１に係るキャリブレーション設定情報設定処理の流れの一例
【図５】実施例１に係る設定ウィンドウの一例
【図６】実施例１に係る通常キャリブレーション実行確認ウィンドウの一例
【図７】実施例１に係る通常キャリブレーションの流れの一例
【図８】実施例１に係る単体キャリブレーションの流れの一例
【図９】実施例１に係る連携キャリブレーションの流れの一例
【図１０】実施例１に係る選択信号切替処理の流れの一例
【図１１】実施例１に係る表示比較部による比較処理の流れの一例
【図１２】実施例１に係る非通常連携キャリブレーションの流れの一例
【図１３】実施例１に係るキャリブレーション実行時における表示画像の一例
【図１４】実施例１に係る連携キャリブレーション実行確認ウィンドウの一例
【図１５】実施例２に係る選択信号切替処理の流れの一例
【図１６】実施例２に係る切り替え前データ記憶処理の流れの一例
【図１７】実施例２に係る表示比較部による比較処理の流れの一例
【図１８】実施例２に係る非通常連携キャリブレーションの流れの一例
【図１９】実施例３に係る表示システムの一例
【図２０】実施例３に係る時刻と接続されているＰＣの関係の一例
【図２１】実施例３に係る表示装置の機能構成の一例
【図２２】実施例３に係る選択信号切替処理の流れの一例
【図２３】実施例３に係る表示比較部による比較処理の流れの一例
【発明を実施するための形態】
【００１２】
以下、本発明の実施例に係る表示装置及びその制御方法について説明する。本実施例に係る表示装置は、画面上に表示された画像を測定する測定部を有する。また、本実施例に係る表示装置は、単体キャリブレーションと連携キャリブレーションを実行可能である。
単体キャリブレーションは、表示装置に予め記憶されている第１キャリブレーション用画像を表示し、測定部で測定された第１キャリブレーション用画像の測定値が目標値に近づくように表示設定を調整するものである。
連携キャリブレーションは、外部装置から入力されたキャリブレーション用の画像信号に基づく第２キャリブレーション用画像を表示し、測定部で測定された第２キャリブレーション用画像の測定値が目標値に近づくように表示設定を調整するものである。
以下では、外部装置がＰＣ（パーソナルコンピュータ）である場合について説明するが、外部装置はこれに限らない。外部装置は、表示装置に画像信号を出力するものであればよく、例えば、ハードディスクレコーダ、ブルーレイレコーダ、外部出力可能な表示装置、ゲーム機などであってもよい。
また、以下では、キャリブレーション用画像がパッチ画像である場合について説明するが、キャリブレーション用画像はパッチ画像に限らない。キャリブレーション用画像は、例えば、所定のパターン画像などであってもよい。
【００１３】
＜実施例１＞
図１は、本発明の実施例１に係る表示システムの一例を示す図である。図１に示すように、本実施例に係る表示システムは、表示装置１００（モニタ）、ＰＣ１０１、画像サーバ１０３を有する。
表示装置１００とＰＣ１０１は、画像ケーブル１０２を用いて互いに接続される。画像
ケーブル１０２は、例えば、ＤＶＩ（登録商標）またはＤｉｓｐｌａｙＰｏｒｔ（登録商標）規格に準拠したケーブルであり、画像信号と、ＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）に基づいた信号を伝送可能なケーブルである。なお、表示装置１００に接続するＰＣ１０１は変更可能である。即ち、表示装置１００に画像信号を出力する外部装置は変更可能である。
また、表示装置１００とＰＣ１０１は、ネットワークケーブル１０４を用いて、画像サーバ１０３に接続されている。
【００１４】
表示装置１００は、入力された画像信号や画像ファイルに基づく画像を表示する。例えば、表示装置１００は、ＰＣ１０１から出力された画像信号に基づく画像（外部入力画像）を表示する。また、表示装置１００は、ユーザ操作に基づいて、画像サーバ１０３から画像ファイルを取得し、該取得した画像ファイルに基づく画像（単体表示画像）を表示する。なお、表示装置１００と画像サーバ１０３との間の通信は、例えば、ＤＩＣＯＭ（Ｄｉｇｉｔａｌ  Ｉｍａｇｉｎｇ  Ｃｏｍｍｕｎｉｃａｔｉｏｎｓ  ｉｎ  Ｍｅｄｉｃｉｎｅ）規格に準拠した通信プロトコルに則って行われる。また、画像ファイルは、例えば、ＤＩＣＯＭ規格に準拠した画像ファイルである。具体的には、ＪＰＥＧ等の方式で圧縮された圧縮ファイル、ＲＡＷファイル等の非圧縮ファイルまたはロスレス圧縮ファイル、などであり、ＤＩＣＯＭ規格に準拠したメタデータが付加されている。表示装置は、取得した画像ファイルをデコードして、該画像ファイルに基づく画像を表示する。
また、表示装置１００は、ＰＣ１０１にパッチ送信要求信号などの制御信号を送信する。パッチ送信要求信号は、パッチ画像の信号（外部パッチ信号）の送信の要求を示す信号である。
ＰＣ１０１は、表示装置１００からのパッチ送信要求信号に応じて、外部パッチ信号と、外部パッチ信号の送信の完了を示す信号（パッチ送信完了信号）などの応答信号とを、表示装置１００に送信する。なお、外部パッチ信号の送信が完了した時点で、表示装置１００には該外部パッチ信号に基づくパッチ画像（外部パッチ画像；第２キャリブレーション用画像）が完全に表示される。そのため、パッチ送信完了信号は、外部パッチ画像の表示の完了を示す信号とも言える。また、ＰＣ１０１は、ユーザ操作に基づいて、画像サーバ１０３から画像ファイルを取得する。なお、ＰＣ１０１と画像サーバ１０３との間の通信も、例えば、ＤＩＣＯＭ規格に準拠した通信プロトコルに則って行われる。そして、ＰＣ１０１は、取得した画像ファイルをデコードして画像信号を生成し、必要に応じて所定の処理を施して表示装置１００に出力する。
【００１５】
図２（Ａ）は、表示装置１００のハードウェアブロック図の一例である。図２（Ｂ）は、表示装置１００の、輝度・色度センサ２１０近傍の断面（画面に垂直な面によって得られる断面）の一例を示すイメージ図である。
ＣＰＵ２０１は、不揮発性メモリ２０３から各種制御を行うためのプログラムを読み込み、内部バス２１３に接続された各構成ブロックの制御を行う。
例えば、ＣＰＵ２０１は、不揮発性メモリ２０３に記録されたキャリブレーション設定情報に基づいて単体キャリブレーション及び連携キャリブレーションを実行する。単体キャリブレーション及び連携キャリブレーションの詳細については後述する。キャリブレーション設定情報は、キャリブレーションの目標値（最大目標輝度値、目標階調カーブなど）を含む情報である。
また、ＣＰＵ２０１は、ユーザ操作によってキャリブレーション設定情報が設定された場合に、設定されたキャリブレーション設定情報を不揮発性メモリ２０３に記録（上書き）する。ユーザは、例えば、タッチパネル２１１を用いて表示装置１００を操作する。
また、ＣＰＵ２０１は、ユーザ操作に基づいて画像表示アプリケーション（画像ビューワなど）を実行する。
また、ＣＰＵ２０１は、画像表示アプリケーションに対するユーザ操作に基づいて、ネットワーク通信回路２１２を介して、画像サーバ１０３から画像ファイルを取得、デコードして画像信号（単体表示画像信号）を生成する。そして、ＣＰＵ２０１は、生成した単体表示画像信号を、必要に応じて画像処理（ウィンドウレベル調整など）を適用し、画像処理回路２０５に出力する。具体的には、単体表示画像信号に基づく画像（単体表示画像）と、画像表示アプリケーションの画像とを含む画像を表す画像信号が生成され、画像処理回路２０５に出力される。
【００１６】
メモリ２０２は、ＣＰＵ２０１の処理に用いるデータを一時的に記憶する。
不揮発性メモリ２０３は、ＣＰＵ２０１が使用するプログラム、バックライト発光パラメータ、画質調整パラメータ、キャリブレーション設定情報などを記憶する。バックライト発光パラメータは、画像を表示する際のバックライト輝度値などである。画質調整パラメータは、画像処理回路２０５で画像処理を行う際に用いられるルックアップテーブルなどである。
なお、本実施例では、単体表示画像の表示特性のキャリブレーション（単体キャリブレーション）と外部入力画像の表示特性のキャリブレーション（連携キャリブレーション）とが、個別に実行される。そのため、本実施例では、バックライト発光パラメータ及び画質調整パラメータとして、単体表示画像用パラメータ（第１の表示設定）と外部入力画像用パラメータ（第２の表示設定）の２種類が決定され、不揮発性メモリ２０３に記録される。具体的には、単体キャリブレーションを実行することにより単体表示画像用パラメータが決定され、連携キャリブレーションを実行することにより外部入力画像用パラメータが決定される。
なお、単体表示画像と外部入力画像とで元の画像ファイルが同じであっても、外部入力画像の信号にはＰＣ内にて所定の処理が施されている場合があるため、単体表示画像と外部入力画像の表示特性は必ずしも一致しない。そのため、上記単体キャリブレーションを実行しただけでは、単体表示画像と外部入力画像の表示特性を一致させることができないことがある。本実施例で単体キャリブレーションと連携キャリブレーションとを実行するのは、そのためである。
【００１７】
画像入力回路２０４は、ＰＣ１０１から画像信号（外部入力画像信号（外部パッチ信号を含む））を受信し、画像処理回路２０５に出力する。また、画像入力回路２０４は、制御信号をＰＣ１０１に送信し、ＰＣ１０１から受信した応答信号をＣＰＵ２０１に出力する。
画像処理回路２０５は、不揮発性メモリ２０３に記録された画質調整パラメータに基づいて、画像入力回路２０４及びＣＰＵ２０１から受信された画像信号に画像処理を適用し、画像処理が適用された画像信号を液晶表示デバイス２０６に出力する。
【００１８】
液晶表示デバイス２０６は、複数の液晶素子を有する液晶パネルであり、画像処理回路２０５から受信した画像信号に基づいて各液晶素子の透過率を制御する。
バックライト制御回路２０７は、不揮発性メモリ２０３に記録されたバックライト発光パラメータに基づいて、バックライト２０８の発光輝度を制御するバックライト制御信号を生成し、出力する。
バックライト２０８は、バックライト制御回路２０７から受信したバックライト制御信号に基づいて発光する。
バックライト２０８からの光が液晶表示デバイス２０６の液晶素子を透過することにより、画像が表示される。
【００１９】
センサ制御回路２０９は、ＣＰＵ２０１から受信した測定要求信号に応じて輝度・色度センサ２１０を制御するセンサ制御信号を出力し、輝度・色度センサ２１０で測定された輝度及び色度をＣＰＵ２０１に出力する。測定要求信号は、輝度及び色度の測定の要求を示す信号である。
輝度・色度センサ２１０は、画面上に表示された画像を測定する。具体的には、輝度・
色度センサ２１０は、センサ制御回路２０９からのセンサ制御信号の受信に応じて、輝度及び色度の測定を開始し、測定結果をセンサ制御回路２０９に出力する。輝度・色度センサ２１０は、例えば、図２（Ｂ）に示すように、画面（液晶素子）に対向するように設けられ、画面上の輝度及び色度（画面上に表示された画像（パッチ画像）の輝度及び色度）を測定する。
【００２０】
タッチパネル２１１は、ユーザ操作を受け付け、該ユーザ操作に応じた信号をＣＰＵ２０１に通知する。
ネットワーク通信回路２１２は、画像サーバ１０３に画像送信要求信号を送信し、画像ファイルを取得する。
液晶表示装置１００の各構成ブロックは、内部バス２１３を介してデータ通信を行う。
【００２１】
図３は、表示装置１００の機能ブロック図である。
ＵＩ部３０１は、ユーザがキャリブレーション設定情報の設定を開始する操作を行うと、現在のキャリブレーション設定情報をキャリブレーション設定管理部３０２から取得する。そして、ＵＩ部３０１は、キャリブレーション設定情報を設定するためのウィンドウ（設定ウィンドウ）の信号を生成し、出力する。それにより、設定ウィンドウが表示される。その後、ユーザが、必要に応じてキャリブレーション設定情報を変更し、キャリブレーション設定情報を確定する操作を行うと、ＵＩ部３０１は、確定されたキャリブレーション設定情報をキャリブレーション設定管理部３０２に出力する。
また、ＵＩ部３０１は、ユーザがキャリブレーションを実行する操作を行うと、キャリブレーション実行制御部３０３に通常キャリブレーション実行要求信号を出力する。通常キャリブレーション実行要求信号は、通常キャリブレーション（単体キャリブレーションと連携キャリブレーションの両方）の実行の要求を示す信号である。
また、ＵＩ部３０１は、ユーザが単体表示画像を表示する操作を行うと、単体表示画像信号を表示制御部３０５へ出力するよう、単体表示画像表示制御部３１２を制御する。
また、ＵＩ部３０１は、ユーザ操作に応じて、表示制御部３０５に切り替え要求信号を出力する。切り替え要求信号は、表示画像の切り替えの要求を示す信号である。本実施例では、切り替え要求信号に応じて、表示画像が、画像入力部３０８からの外部入力画像信号に基づく外部入力画像と、単体表示画像表示制御部３１２からの単体表示画像信号に基づく単体表示画像との間で切り替えられる。なお、切り替え要求信号に応じて、表示画像が、単体表示画像と外部入力画像以外の画像に切り替えられてもよい。
【００２２】
キャリブレーション設定管理部３０２は、ＵＩ部３０１、キャリブレーション実行制御部３０３または表示比較部３１１からの要求に応じて、不揮発性メモリ２０３からキャリブレーション設定情報を読み込み、該要求の送信元に出力する。また、ＵＩ部３０１から送信されるキャリブレーション設定情報を、不揮発性メモリ２０３に記録（上書き）する。
【００２３】
キャリブレーション実行制御部３０３は、単体キャリブレーションを実行することにより単体表示画像用パラメータを決定し（第１決定）、連携キャリブレーションを実行することにより外部入力画像用パラメータを決定する（第２決定）。
具体的には、キャリブレーション実行制御部３０３は、ＵＩ部３０１からの通常キャリブレーション実行要求信号の受信に応じて、キャリブレーション設定管理部３０２からキャリブレーション設定情報を取得する。そして、キャリブレーション実行制御部３０３は、通常キャリブレーション（単体キャリブレーションと連携キャリブレーションの両方）を実行する。
また、キャリブレーション実行制御部３０３は、表示比較部３１１からの連携キャリブレーション実行要求信号の受信に応じて、連携キャリブレーションを実行する。
【００２４】
単体キャリブレーションを実行する場合、キャリブレーション実行制御部３０３は、予め記憶されているパッチ信号（内部パッチ信号）を表示制御部３０５に出力する。それにより、該内部パッチ信号に基づくパッチ画像（内部パッチ画像；第１キャリブレーション用画像）が表示される。その際、キャリブレーション実行制御部３０３は、測定要求信号を測色部３０７へ出力する。そして、キャリブレーション実行制御部３０３は、測色部３０７から、輝度・色度センサ２１０の測定結果（表示された内部パッチ画像の輝度及び色度）を取得する。その後、キャリブレーション実行制御部３０３は、取得した輝度及び色度に基づいて画質調整パラメータやバックライト発光パラメータを算出し、表示制御部３０５、バックライト制御部３０６、及び、パラメータ管理部３０４に出力する。
【００２５】
一方、連携キャリブレーションを実行する場合、キャリブレーション実行制御部３０３は、ＰＣ通信部３０９にパッチ送信要求信号を出力する。それにより、ＰＣ１０１から外部パッチ信号が入力され、外部パッチ画像が表示される。その際、キャリブレーション実行制御部３０３は、測定要求信号を測色部３０７へ出力する。そして、単体キャリブレーションの場合と同様に、キャリブレーション実行制御部３０３は、測色部３０７から輝度・色度センサ２１０の測定結果（表示された外部パッチ画像の輝度及び色度）を取得する。その後、キャリブレーション実行制御部３０３は、取得した輝度及び色度に基づいて画質調整パラメータやバックライト発光パラメータを算出し、表示制御部３０５、バックライト制御部３０６、及び、パラメータ管理部３０４に出力する。
単体キャリブレーション及び連携キャリブレーションの詳細については後述する。
【００２６】
パラメータ管理部３０４は、キャリブレーション実行制御部３０３から受信したバックライト発光パラメータや画質調整パラメータを不揮発性メモリ２０３に書き込む。
表示制御部３０５は、画像入力部３０８が出力する外部入力画像信号と単体表示画像表示制御部３１２が出力する単体表示画像信号のいずれかを、切り替え要求信号に応じて選択し、選択した画像信号を画像処理回路２０５に出力する。その際、表示制御部３０５は、画像処理回路２０５に、選択した画像信号に対応する画質調整パラメータを使用する指示を出力し、バックライト制御部３０６に、選択した画像信号に対応するバックライト発光パラメータを使用する指示を出力する。それにより、上記選択された画像信号が画像処理回路２０５で補正され、補正された画像信号に基づく画像が表示される。
また、表示制御部３０５は、選択する画像を単体表示画像信号から外部入力画像信号へ切り替えた場合に、表示比較部３１１に表示比較要求信号を出力する。表示比較要求信号は、外部パッチ画像の輝度及び色度が目標値と一致しているか否かの比較の要求を示す信号である。
また、表示制御部３０５は、ＵＩ部３０１から受信した設定ウィンドウの信号やキャリブレーション実行制御部３０３から受信したパッチ信号を、上記選択した画像信号に合成することにより合成画像信号を生成して、画像処理回路２０５に出力する。合成画像信号は、上記選択された画像信号に基づく画像と、設定ウィンドウやパッチ画像などの画像とが合成された画像を表す信号である。
また、表示制御部３０５は、キャリブレーション実行中にキャリブレーション実行制御部３０３から受信した画質調整パラメータを、画像処理回路２０５に出力する。
【００２７】
バックライト制御部３０６は、表示制御部３０５から受信したパラメータ切り替え指示（表示制御部３０５で選択された画像信号に対応するバックライト発光パラメータを使用する指示）をバックライト制御回路２０７に出力する。また、バックライト制御部３０６は、キャリブレーション中にキャリブレーション実行制御部３０３から受信したバックライト発光パラメータを、バックライト制御回路２０７に出力する。
【００２８】
測色部３０７は、キャリブレーション実行制御部３０３、または、表示比較部３１１から受信した測定要求信号をセンサ制御回路２０９へ出力する。また、測色部３０７は、キ
ャリブレーション実行制御部３０３、または、表示比較部３１１からの要求に応じて、センサ制御回路２０９から輝度・色度センサ２１０の測定結果（輝度及び色度）を取得し、要求の送信元へ出力する。
画像入力部３０８は、画像入力回路２０４がＰＣ１０１から受信した外部入力画像信号を表示制御部３０５に出力する。また、画像入力部３０８は、ＰＣ１０１からの外部入力画像信号を検出した場合に、入力有無検出部３１０に入力検出信号を出力する。画像入力部３０８は、ＰＣ１０１からの外部入力画像信号を検出しなくなった場合、入力有無検出部３１０に入力解除信号を出力する。
【００２９】
ＰＣ通信部３０９は、キャリブレーション実行制御部３０３または表示比較部３１１からパッチ送信要求信号が送信されると、画像入力回路２０４を介してＰＣ１０１にパッチ送信要求信号を出力する。また、ＰＣ通信部３０９は、画像入力回路２０４を介してＰＣ１０１からパッチ送信完了信号を受信し、キャリブレーション実行制御部３０３または表示比較部３１１（パッチ送信要求信号の送信元）に出力する。
入力有無検出部３１０は、画像入力部３０８から受信した入力検出信号及び入力解除信号に基づいて、ＰＣ１０１からの外部入力画像信号の入力の有無を判定し、判定結果を入力有無情報として記憶する。具体的には、入力有無検出部３１０は、入力検出信号を受信してから入力解除信号を受信するまでの期間に、外部入力画像信号の入力が有ると判定し、それ以外の期間で、外部入力画像信号の入力が無いと判定する。また、入力有無検出部３１０は、キャリブレーション実行制御部３０３からの要求に応じて入力有無情報を出力する。
【００３０】
表示比較部３１１は、外部入力画像を表示する際に、外部装置の出力設定（外部機器内で行う画像処理の内容など）または第２の表示設定（外部入力画像用パラメータ）が前回の外部入力画像表示時の設定と異なるか否かを判定する。
具体的には、表示比較部３１１は、表示制御部３０５からの表示比較要求信号の受信に応じて、ＰＣ通信部３０９にパッチ送信要求信号を出力する。それにより、ＰＣ１０１から外部パッチ信号が入力され、外部パッチ画像が表示される。その際、表示比較部３１１は、測定要求信号を測色部３０７へ出力する。そして、表示比較部３１１は、測色部３０７から輝度・色度センサ２１０の測定結果（表示された外部パッチ画像の輝度及び色度）を取得する。その後、表示比較部３１１は、キャリブレーション設定管理部３０２から取得したキャリブレーション設定情報（キャリブレーションの目標値）と測定結果を比較する。当該比較により、外部装置の出力設定または外部入力画像用パラメータが前回の外部入力画像表示時の設定と異なるか否かが判定され、異なると判定された場合には連携キャリブレーションを実行する必要があると判断される。
そして、表示比較部３１１は、連携キャリブレーションを実行する必要があると判断した場合に、キャリブレーション実行制御部３０３に連携キャリブレーションの実行を要求する。上述したように、キャリブレーション実行制御部３０３は、表示比較部３１１からの連携キャリブレーション実行要求信号の受信に応じて、連携キャリブレーションを実行する。即ち、本実施例では、キャリブレーション実行制御部３０３は、表示比較部３１１で、外部装置の出力設定または外部入力画像用パラメータが前回の外部入力画像表示時の設定と異なると判定された場合に、連携キャリブレーションを実行する。
表示比較部３１１の判定処理の詳細については後述する。
【００３１】
単体表示画像表示制御部３１２は、ＵＩ部３０１からの指示に応じて、ネットワーク通信部３１３に画像送信要求信号を出力し、ネットワーク通信部３１３から画像ファイルを取得する。そして、単体表示画像表示制御部３１２は、取得した画像ファイルをデコードすることにより単体表示画像信号を生成し、単体表示画像信号を、必要に応じてアイコン等の画像信号の合成処理やユーザが指示した画像処理を施して、表示制御部３０５に出力する。
ネットワーク通信部３１３は、単体表示画像表示制御部３１２からの画像送信要求信号を、ネットワーク通信回路２１２を介して画像サーバ１０３に送信し、画像サーバ１０３から画像ファイルを取得する。そして、ネットワーク通信部３１３は、取得した画像ファイルを単体表示画像表示制御部３１２に出力する。
【００３２】
なお、図３に示す各機能ブロック（ＵＩ部３０１〜ネットワーク通信部３１３）の処理は、ＣＰＵ２０１により実行される。
【００３３】
図４は、ユーザがキャリブレーション設定情報の設定を開始する操作を行った際のＵＩ部３０１の処理（キャリブレーション設定情報設定処理）の流れの一例を示すフローチャートである。
まず、ＵＩ部３０１は、キャリブレーション設定管理部３０２から現在のキャリブレーション設定情報を取得する（Ｓ４０１）。
【００３４】
次に、ＵＩ部３０１は、設定ウィンドウの信号を生成して表示制御部３０５に出力する（Ｓ４０２）。表示制御部３０５は、現在表示されている画像の信号に設定ウィンドウの信号を合成することにより合成画像信号を生成し、出力する。それにより、現在表示されている画像に設定ウィンドウが重畳された画像が表示される。
【００３５】
そして、ユーザは、設定ウィンドウを用いて、必要に応じてキャリブレーション設定情報（キャリブレーションの目標値）を変更する操作を行った後、キャリブレーション設定情報の設定を完了する操作を行う（Ｓ４０３）。詳細は後述するが、本実施例では設定ウィンドウはＯＫボタンとキャンセルボタンを有しており、ユーザが上記２つのボタンのいずれかを選択すると、キャリブレーション設定情報の設定が完了される。
【００３６】
次に、ＵＩ部３０１は、上記２つのボタンのいずれかが選択されたことに応じて（設定を完了する操作に応じて）、設定ウィンドウを消去する（閉じる）（Ｓ４０４）。
そして、ＵＩ部３０１は、Ｓ４０３でＯＫボタンが選択された場合に（Ｓ４０５：ＹＥＳ）、設定された目標値をキャリブレーション設定情報としてキャリブレーション設定管理部３０２に出力する（Ｓ４０６）。それにより、キャリブレーション設定情報が保存（更新）される。そして、ＵＩ部３０１は、処理を終了する。
また、ＵＩ部３０１は、Ｓ４０３でキャンセルボタンが選択された場合に（Ｓ４０５：ＮＯ）、処理を終了する。
【００３７】
図５は、設定ウィンドウの一例を示す図である。
設定ウィンドウ５０１は、テキストボックス５０２、ラジオボタン５０３，５０４、ＯＫボタン５０５、キャンセルボタン５０６などを有する。
【００３８】
テキストボックス５０２は、キャリブレーション実行時の目標最大輝度値を設定するためのテキストボックスである。図５の場合、キャリブレーション実行時の目標最大輝度値は３００ｃｄ／ｍ２に設定されている。
【００３９】
ラジオボタン５０３，５０４は、キャリブレーション実行時の目標階調カーブを設定するためのラジオボタンである。ラジオボタン５０３を選択すると、目標階調カーブは、ＤＩＣＯＭ  ＧＳＤＦに設定され、ラジオボタン５０４を選択すると、目標階調カーブはγ２．２に設定される。図５の場合、目標階調カーブはＤＩＣＯＭ  ＧＳＤＦに設定されている。なお、目標階調カーブの詳細は本発明の主旨ではないため、説明を省略する。
【００４０】
ＯＫボタン５０５、キャンセルボタン５０６は、キャリブレーション設定情報の設定を完了するためのボタンである。
ＯＫボタン５０５が選択された場合には、設定ウィンドウで示されているキャリブレーション設定情報が保存されて、キャリブレーション設定情報の設定が完了される。この時、ＵＩ部３０１に、ＯＫボタンが選択されたことが通知される。
キャンセルボタン５０６が選択された場合には、設定ウィンドウで示されているキャリブレーション設定情報の保存は行われずに、キャリブレーション設定情報の設定が完了される。即ち、キャンセルボタン５０６を選択してキャリブレーション設定情報の設定が完了された場合には、上記設定ウィンドウを表示してから行われたキャリブレーション設定情報の変更は無効とされる。この時、ＵＩ部３０１に、キャンセルボタンが選択されたこと（ＯＫボタンが選択されなかったこと）が通知される。
【００４１】
図６は、通常キャリブレーションの実行を開始する際に表示されるウィンドウ（通常キャリブレーション実行確認ウィンドウ）の一例を示す図である。本実施例では、ユーザからの指示に基づいて通常キャリブレーションが実行される。通常キャリブレーション実行確認ウィンドウは、例えば、ユーザがキャリブレーションの実行を開始する操作を行った場合、ユーザがキャリブレーション設定情報の設定を完了する操作を行った場合などに表示される。具体的には、ユーザ操作に応じてＵＩ部３０１が通常キャリブレーション実行確認ウィンドウの信号を生成して表示制御部３０５に出力する。それにより、通常キャリブレーション実行確認ウィンドウが表示される。通常キャリブレーションでは、単体キャリブレーションと連携キャリブレーションの両方が実行される。但し、表示装置１００に外部入力画像が入力されていない場合（表示装置１００に外部装置（ＰＣ１０１）が接続されていない場合）には連携キャリブレーションは実行されない。
【００４２】
実行確認ウィンドウ６０１は、キャリブレーション設定情報（目標値）が表示される領域６０２、はいボタン６０３、いいえボタン６０４など有する。
ユーザは、領域６０２により、現在のキャリブレーション設定情報を確認することができる。
はいボタン６０３は、ユーザが、領域６０２に表示されているキャリブレーション設定情報に基づく通常キャリブレーションを開始するために押下（選択）するボタンである。ユーザがはいボタン６０３を選択すると、ＵＩ部３０１からキャリブレーション実行制御部３０３へ通常キャリブレーション実行要求信号が出力される。図６の場合、ＵＩ部３０１からキャリブレーション実行制御部３０３へ、最大目標輝度値を３００ｃｄ／ｍ２、目標階調カーブをＤＩＣＯＭ  ＧＳＤＦとする通常キャリブレーションの実行が要求される。
いいえボタン６０４は、ユーザが、通常キャリブレーションを行わないために押下（選択）するボタンである。ユーザがいいえボタン６０４を選択すると、ＵＩ部３０１からキャリブレーション実行制御部３０３へ通常キャリブレーション実行要求信号は出力されずに、実行確認ウィンドウ６０１は消去される（閉じられる）。
【００４３】
図７は、通常キャリブレーション実行要求信号の受信に応じてキャリブレーション実行制御部３０３が実行する通常キャリブレーションの流れの一例を示すフローチャートである。
まず、キャリブレーション実行制御部３０３は、キャリブレーション設定管理部３０２からキャリブレーション設定情報を取得する（Ｓ７０１）。
次に、キャリブレーション実行制御部３０３は、単体キャリブレーションを実行する（Ｓ７０２）。単体キャリブレーションのフローチャートは後述する。
そして、キャリブレーション実行制御部３０３は、入力有無検出部３１０から、入力有無情報を取得する（Ｓ７０３）。
外部入力画像信号が入力されている場合には（Ｓ７０４：ＹＥＳ）、キャリブレーション実行制御部３０３は、引き続き連携キャリブレーションを実行する（Ｓ７０５）。連携キャリブレーションのフローチャートは後述する。外部入力画像信号が入力されていない
場合には（Ｓ７０４：ＮＯ）、キャリブレーション実行制御部３０３は、連携キャリブレーションを行わずに処理を終了する。
【００４４】
図８は、キャリブレーション実行制御部３０３による単体キャリブレーションの流れの一例を示すフローチャートである。
まず、キャリブレーション実行制御部３０３は、表示制御部３０５に対して画質調整パラメータの初期化を要求し、バックライト制御部３０６に対してバックライト発光パラメータの初期化を要求する（Ｓ８０１）。その結果、画像を表示する際に、画像処理回路２０５とバックライト制御回路２０７でパラメータの初期値が使用される。
【００４５】
次に、キャリブレーション実行制御部３０３は、所定のパッチ画像数分、Ｓ８０３〜Ｓ８０５の処理を繰り返す（Ｓ８０２）。
まず、キャリブレーション実行制御部３０３は、表示制御部３０５に内部パッチ信号を出力する（Ｓ８０３）。表示制御部３０５は、現在表示されている画像の信号に、受信した内部パッチ信号を合成することにより合成画像信号を生成し、出力する。それにより、現在表示されている画像に内部パッチ画像が重畳された画像が表示される。また、このとき、キャリブレーション実行制御部３０３は、測定要求信号を測色部３０７へ出力する。それにより、輝度・色度センサ２１０で上記内部パッチ画像の輝度及び色度が測定され、測定結果が測色部３０７で取得される。
次に、キャリブレーション実行制御部３０３は、測色部３０７から、表示された内部パッチ画像の輝度及び色度を取得する（Ｓ８０４）。
そして、Ｓ８０２へ処理が戻される（Ｓ８０５）。
【００４６】
所定のパッチ画像数分、Ｓ８０３〜Ｓ８０５の処理が繰り返された後、Ｓ８０６へ処理が進められる。
Ｓ８０６では、キャリブレーション実行制御部３０３は、取得した各パッチ画像の輝度及び色度、最大目標輝度値、目標階調カーブに基づいて、画質調整パラメータとバックライト発光パラメータを算出する。
次に、キャリブレーション実行制御部３０３は、Ｓ８０６で算出した画質調整パラメータ、バックライト発光パラメータを、それぞれ、表示制御部３０５、バックライト制御部３０６に出力する。それにより、Ｓ８０６で算出されたパラメータが仮設定され、該仮設定されたパラメータを使用して画像が表示される（Ｓ８０７）。
【００４７】
そして、キャリブレーション実行制御部３０３は、所定のパッチ画像数分、Ｓ８０９〜Ｓ８１１の処理を繰り返す（Ｓ８０８）。Ｓ８０９〜Ｓ８１１の処理はＳ８０３〜Ｓ８０５の処理と同様のため、その説明は省略する。
【００４８】
所定のパッチ画像数分、Ｓ８０９〜Ｓ８１１の処理が繰り返された後、Ｓ８１２へ処理が進められる。
Ｓ８１２では、キャリブレーション実行制御部３０３は、Ｓ８１０で取得された測定結果（輝度及び色度）を評価する。具体的には、キャリブレーション実行制御部３０３は、Ｓ８１０で取得された各パッチ画像の輝度及び色度が、目標値（最大目標輝度値、目標階調カーブに基づく値）に対して所定の誤差範囲内に収まっているか否かを判定する。
【００４９】
各パッチ画像の測定結果が全て目標値に対して所定の誤差範囲内に収まっている場合には、キャリブレーション実行制御部３０３は、単体キャリブレーションが完了したと判断し（Ｓ８１３：ＹＥＳ）、処理をＳ８１４へ進める。Ｓ８１４では、キャリブレーション実行制御部３０３は、Ｓ８０６で算出した画質調整パラメータとバックライト発光パラメータをパラメータ管理部３０４に出力し、単体表示画像用パラメータとして記録する。
目標値に対して所定の誤差範囲内に収まっていない測定結果がある場合には、キャリブ
レーション実行制御部３０３は、単体キャリブレーションを続ける必要があると判断し（Ｓ８１３：ＮＯ）、処理をＳ８１５へ進める。Ｓ８１５では、キャリブレーション実行制御部３０３は、画質調整パラメータとバックライト発光パラメータを微調整する。そして、Ｓ８０７へ処理が戻される。所定の回数以上微調整を行っても目標値に対して所定の誤差範囲内に収まらない測定結果がある場合には、単体キャリブレーションが完了したと判断され（Ｓ８１３：ＹＥＳ）、Ｓ８１４へ処理が進められる。
【００５０】
図９は、キャリブレーション実行制御部３０３による連携キャリブレーションの流れの一例を示すフローチャートである。
まず、キャリブレーション実行制御部３０３は、表示制御部３０５に対して画像入力部３０８が出力する外部入力画像信号に基づく外部入力画像を表示するように要求する（Ｓ９０１）。表示制御部３０５は、該要求を受信すると、画像入力部３０８が出力する外部入力画像信号を選択して出力する。
【００５１】
次に、キャリブレーション実行制御部３０３は、単体キャリブレーションの場合と同様に、表示制御部３０５に対して画質調整パラメータの初期化を要求し、バックライト制御部３０６に対してバックライト発光パラメータの初期化を要求する（Ｓ９０２）。その結果、画像を表示する際に、画像処理回路２０５とバックライト制御回路２０７でパラメータの初期値が使用される。
【００５２】
次に、キャリブレーション実行制御部３０３は、所定のパッチ画像数分、Ｓ９０４〜Ｓ９０７の処理を繰り返す（Ｓ９０３）。
まず、キャリブレーション実行制御部３０３は、ＰＣ通信部３０９にパッチ送信要求信号を送信する（Ｓ９０４）。それにより、ＰＣ通信部３０９からＰＣ１０１へパッチ送信要求信号が送信される。
次に、キャリブレーション実行制御部３０３は、画像入力部３０８がＰＣ１０１から外部パッチ信号を受信し、ＰＣ通信部３０９がＰＣ１０１からパッチ送信完了信号を受信するまで待機する（Ｓ９０５）。外部パッチ信号の受信が完了すると、ＰＣ通信部３０９でパッチ送信完了信号が受信され、ＰＣ通信部３０９からキャリブレーション実行制御部３０３へパッチ送信完了信号が送信される。このとき、（Ｓ９０１の処理により）表示制御部３０５では画像入力部３０８が出力する外部入力画像信号（外部パッチ画像を含む）が選択されている。そのため、ＰＣ１０１から外部パッチ信号が受信されると、画面にＰＣ１０１から出力された外部パッチ信号に基づく外部パッチ画像が表示される。
キャリブレーション実行制御部３０３は、パッチ送信完了信号を受信すると、測定要求信号を測色部３０７へ出力する。それにより、輝度・色度センサ２１０で上記外部パッチ画像の輝度及び色度が測定され、測定結果が測色部３０７で取得される。そして、キャリブレーション実行制御部３０３は、測色部３０７から、表示された外部パッチ画像の輝度及び色度を取得する（Ｓ９０６）。
そして、Ｓ９０３へ処理が戻される（Ｓ９０７）。
【００５３】
所定のパッチ画像数分、Ｓ９０４〜Ｓ９０７の処理が繰り返された後、Ｓ９０８へ処理が進められる。
Ｓ９０８では、キャリブレーション実行制御部３０３は、取得した輝度及び色度、最大目標輝度値、目標階調カーブに基づいて、画質調整パラメータとバックライト発光パラメータを算出する。
次に、キャリブレーション実行制御部３０３は、Ｓ９０８で算出した画質調整パラメータ、バックライト発光パラメータを、それぞれ、表示制御部３０５、バックライト制御部３０６に出力する。それにより、Ｓ９０８で算出されたパラメータが仮設定され、該仮設定されたパラメータを使用して画像が表示される（Ｓ９０９）。
【００５４】
そして、キャリブレーション実行制御部３０３は、所定のパッチ画像数分、Ｓ９１１〜Ｓ９１４の処理を繰り返す（Ｓ９１０）。Ｓ９１１〜Ｓ９１４の処理はＳ９０４〜Ｓ９０７の処理と同様のため、その説明は省略する。
【００５５】
所定のパッチ画像数分、Ｓ９１１〜Ｓ９１４の処理が繰り返された後、Ｓ９１５へ処理が進められる。
Ｓ９１５では、キャリブレーション実行制御部３０３は、Ｓ９１３で取得された測定結果（輝度及び色度）を評価する。具体的には、キャリブレーション実行制御部３０３は、Ｓ９１３で取得された各パッチ画像の輝度及び色度が、目標値（最大目標輝度値、目標階調カーブに基づく値）に対して所定の誤差範囲内に収まっているか否かを判定する。
【００５６】
各パッチ画像の測定結果が全て目標値に対して所定の誤差範囲内に収まっている場合には、キャリブレーション実行制御部３０３は、連携キャリブレーションが完了したと判断し（Ｓ９１６：ＹＥＳ）、処理をＳ９１７へ進める。Ｓ９１７では、キャリブレーション実行制御部３０３は、Ｓ９０８で算出した画質調整パラメータとバックライト発光パラメータをパラメータ管理部３０４に出力し、外部入力画像用パラメータとして記録する。
測定結果が目標値に対して所定の誤差範囲内に収まっていないパッチ画像がある場合には、キャリブレーション実行制御部３０３は、連携キャリブレーションを続ける必要があると判断し（Ｓ９１６：ＮＯ）、処理をＳ９１８へ進める。Ｓ９１８では、キャリブレーション実行制御部３０３は、画質調整パラメータとバックライト発光パラメータを微調整する。そして、Ｓ９０９へ処理が戻される。所定の回数以上微調整を行っても測定結果が目標値に対して所定の誤差範囲内に収まらないパッチ画像がある場合には、連携キャリブレーションが完了したと判断され（Ｓ９１８：ＹＥＳ）、Ｓ９１７へ処理が進められる。
【００５７】
なお、本実施例では、各パッチ画像の測定結果が全て目標値に対して所定の誤差範囲内に収まっている場合に、キャリブレーションが完了したと判断されるものとしたが、この構成に限らない。例えば、目標値に対して所定の誤差範囲内に収まっている測定結果の数が所定数以上（全ての測定結果に対して所定の割合以上）の場合に、キャリブレーションが完了したと判断されてもよい。
【００５８】
図１０は、ユーザ操作によりＵＩ部３０１から切り替え要求信号を受信した際の表示制御部３０５の処理（選択信号切替処理）の流れの一例を示すフローチャートである。
まず、表示制御部３０５は、画像処理回路２０５に対して、使用する画質調整パラメータを、表示切り替え後の画像用の画質調整パラメータに切り替えるよう、画質調整パラメータ切り替え指示を送信する（Ｓ１００１）。画像処理回路２０５は、画質調整パラメータ切り替え指示を受信すると、不揮発性メモリ２０３から、表示切り替え後の画像用の画質調整パラメータを読み込む。それにより、画像処理回路２０５において、表示切り替え後の画像用の画質調整パラメータを用いた画像処理が実行されることとなる。
【００５９】
次に、表示制御部３０５は、バックライト制御部３０６に対して、使用するバックライト発光パラメータを、表示切り替え後の画像用のバックライト発光パラメータに切り替えるよう、バックライト発光パラメータ切り替え指示を出力する（Ｓ１００２）。バックライト制御部３０６は、受信したバックライト発光パラメータ切り替え指示をバックライト制御回路２０７に出力する。バックライト制御回路２０７は、バックライト発光パラメータ切り替え指示を受信すると、不揮発性メモリ２０３から、表示切り替え後の画像用のバックライト発光パラメータを読み込む。それにより、バックライト制御回路２０７において、表示切り替え後の画像用のバックライト発光パラメータを用いたバックライト制御信号の生成が実行されることとなる。
【００６０】
そして、表示制御部３０５は、切り替え要求信号に基づいて、出力する画像信号を切り
替える（Ｓ１００３）。
次に、表示制御部３０５は、切り替え要求信号に基づいて、切り替え後に表示される画像が単体表示画像か外部入力画像かを判断する（Ｓ１００４）。
切り替え後に表示される画像が外部入力画像である場合には（Ｓ１００５：ＹＥＳ）、表示制御部３０５は、表示比較部３１１に表示比較要求信号を送信する（Ｓ１００６）。
切り替え後に表示される画像が単体表示画像である場合には（Ｓ１００５：ＮＯ）、表示制御部３０５は、そのまま処理を終了する。
【００６１】
図１１は、表示制御部３０５から表示比較要求信号を受信した際の、表示比較部３１１の処理（比較処理）の流れの一例を示すフローチャートである。
まず、表示比較部３１１は、所定のパッチ画像数分、Ｓ１１０２〜Ｓ１１０５の処理を繰り返す（Ｓ１１０１）。
Ｓ１１０２において、表示比較部３１１は、ＰＣ通信部３０９にパッチ送信要求信号を送信する。それにより、ＰＣ通信部３０９からＰＣ１０１へパッチ送信要求信号が送信される。
次に、表示比較部３１１は、画像入力部３０８がＰＣ１０１から外部パッチ信号を受信し、ＰＣ通信部３０９がＰＣ１０１からパッチ送信完了信号を受信するまで待機する（Ｓ１１０３）。外部パッチ信号の受信が完了すると、ＰＣ通信部３０９でパッチ送信完了信号が受信され、ＰＣ通信部３０９から表示比較部３１１へパッチ送信完了信号が送信される。このとき、表示制御部３０５では画像入力部３０８が出力する外部入力画像信号（外部パッチ画像を含む）が選択されている。そのため、ＰＣ１０１から外部パッチ信号が受信されると、画面にＰＣ１０１から出力された外部パッチ信号に基づく外部パッチ画像が外部入力画像用パラメータで表示される。
そして、表示比較部３１１は、パッチ送信完了信号を受信すると、測定要求信号を測色部３０７へ出力する。それにより、輝度・色度センサ２１０で上記外部パッチ画像の輝度及び色度が測定され、測定結果が測色部３０７で取得される。そして、表示比較部３１１は、測色部３０７から、表示された外部パッチ画像の輝度及び色度を取得する（Ｓ１１０４）。
次に、Ｓ１１０１へ処理が戻される（Ｓ１１０５）。
【００６２】
所定のパッチ画像数分、Ｓ１１０２〜Ｓ１１０５の処理が繰り返された後、Ｓ１１０６へ処理が進められる。
Ｓ１１０６では、表示比較部３１１は、キャリブレーション設定管理部３０２からキャリブレーション設定情報を取得する。
次に、表示比較部３１１は、Ｓ１１０６で取得したキャリブレーション設定情報を用いて輝度、色度の理論値（目標値）を算出する（Ｓ１１０７）。
そして、表示比較部３１１は、Ｓ１１０４で取得された測定結果（輝度及び色度）と、Ｓ１１０７で算出された理論値とを比較する（Ｓ１１０８）。当該比較により、外部装置の出力設定または外部入力画像用パラメータが前回の外部入力画像表示時の設定と異なるか否かが判定される。
理論値に対して所定の誤差範囲内に収まっていない測定結果がある場合には（Ｓ１１０９：ＹＥＳ）、外部装置の出力設定または外部入力画像用パラメータが前回の外部入力画像表示時の設定と異なる可能性が高い。そこで、本実施例では、そのような場合に、表示比較部３１１は、外部装置の出力設定または外部入力画像用パラメータが前回の外部入力画像表示時の設定と異なると判定する。そして、表示比較部３１１は、連携キャリブレーションを実行する必要があると判断し、キャリブレーション実行制御部３０３に連携キャリブレーション実行要求信号を出力する（Ｓ１１１０）。
全ての測定結果が理論値に対して所定の誤差範囲内に収まっている場合には（Ｓ１１０９：ＮＯ）、表示比較部３１１は、外部装置の出力設定または外部入力画像用パラメータが前回の外部入力画像表示時の設定と同じであると判定し、そのまま処理を終了する。
【００６３】
このように、本実施例では、外部入力画像を表示する際に、第２の表示設定（外部入力画像用パラメータ）で外部パッチ画像が表示される。そして、輝度・色度センサ２１０で測定された外部パッチ画像の測定値と目標値との差の絶対値が所定の閾値より大きい場合に、外部装置の出力設定または外部入力画像用パラメータが前回の外部入力画像表示時の設定と異なると判定される。
なお、本実施例では、理論値に対して所定の誤差範囲内に収まっていない測定結果がある場合に、外部装置の出力設定または外部入力画像用パラメータが前回の外部入力画像表示時の設定と異なると判定されるものとしたが、この構成に限らない。例えば、目標値に対して所定の誤差範囲内に収まっていいない測定結果の数が所定数以上（全ての測定結果に対して所定の割合以上）の場合に、外部装置の出力設定または外部入力画像用パラメータが前回の外部入力画像表示時の設定と異なると判定されてもよい。
【００６４】
図１２は、表示比較部３１１から連携キャリブレーション実行要求信号を受信した際の、キャリブレーション実行制御部３０３の処理（非通常連携キャリブレーション）の流れの一例を示すフローチャートである。
まず、キャリブレーション実行制御部３０３は、ＵＩ部３０１に連携キャリブレーション実行確認ウィンドウの表示を要求する（Ｓ１２０１）。ＵＩ部３０１は、該要求に応じて、連携キャリブレーション実行確認ウィンドウの信号を生成し、表示制御部３０５に出力する。それにより、連携キャリブレーション実行確認ウィンドウが表示される。ユーザは、連携キャリブレーション実行確認ウィンドウを用いて、連携キャリブレーションを実行するか否かを選択する。
次に、キャリブレーション実行制御部３０３は、ＵＩ部３０１からユーザによる連携キャリブレーションを実行するか否かの選択結果を受信する（Ｓ１２０２）。
ユーザが連携キャリブレーションの実行を選択した場合（Ｓ１２０３：ＹＥＳ）、キャリブレーション実行制御部３０３は、キャリブレーション設定管理部３０２からキャリブレーション設定情報を取得する（Ｓ１２０４）。そして、キャリブレーション実行制御部３０３は、キャリブレーション設定情報に含まれる最大目標輝度値、目標階調カーブを用いて、図９に示した連携キャリブレーションを実行する（Ｓ１２０５）。
ユーザが連携キャリブレーションの非実行を選択した場合（Ｓ１２０３：ＮＯ）、キャリブレーション実行制御部３０３は、一定時間待機し（Ｓ１２０６）、処理をＳ１２０１へ戻す。
【００６５】
図１３は、単体キャリブレーション及び連携キャリブレーション実行時における表示装置１００の表示画像のイメージ図である。
図１３に示すように、キャリブレーション実行時には、輝度・色度センサ２１０近傍にパッチ画像Ｐ１３０１が表示され、パッチ画像の輝度及び色度が輝度・色度センサ２１０で測定される。
【００６６】
図１４は、連携キャリブレーション実行確認ウィンドウの一例を示す図である。
連携キャリブレーション実行確認ウィンドウ１４０１は、連携キャリブレーションを実行するか否かを選択するためのボタン１４０２，１４０３などを有する。
ユーザは、連携キャリブレーションの実行を選択する場合に、ボタン１４０２を押下（選択）する。
また、ユーザは、連携キャリブレーションの非実行を選択する場合に、ボタン１４０３を押下（選択）する。
上記選択結果（選択されたボタンを表す信号）は、ＵＩ部３０１へ入力される。
【００６７】
以上述べたように、本実施例によれば、外部入力画像を表示する際に、外部装置の出力設定または第２の表示設定（外部入力画像用パラメータ）が前回の外部入力画像表示時の
設定と異なるか否かが判定される。そして、外部装置の出力設定または第２の表示設定が前回の外部入力画像表示時の設定と異なると判定された場合に、連携キャリブレーションが実行される。例えば、表示装置に接続されている外部機器の出力設定が前回の外部入力画像表示時の設定と異なる場合や、表示装置に接続されている外部機器が前回の外部入力画像表示時に接続されていた機器と異なる場合などに、連携キャリブレーションが実行される。それにより、外部装置から入力された画像信号に基づく画像とモニタ単体で表示する画像とで表示特性が異なってしまうことを抑制することができる。
【００６８】
なお、本実施例では、キャリブレーションの目標値が最大目標輝度値と目標階調カーブから得られるものとしたが、目標値は、色温度等、他の値を用いて得られるものであってもよい。また、連携キャリブレーション実行時の目標値は、キャリブレーション設定情報から取得した値ではなく、単体キャリブレーションの結果（単体表示画像用パラメータで表示された内部パッチ画像の輝度及び色度）であってもよい。
【００６９】
なお、外部パッチ信号は、パッチ画像のみを表す画像信号であってもよいし、パッチ画像以外の画像の領域を含む（一部の領域にパッチ画像を含む）画像を表す画像信号であってもよい。
なお、本実施例では、連携キャリブレーションを実行する際に、表示画像を外部入力画像に切り替える構成としたが、このような構成でなくてもよい。例えば、単体キャリブレーション（Ｓ７０２の処理）の実行時と同様に、表示制御部３０５に、外部パッチ画像（または外部パッチ画像とその近傍）のみを表す画像信号が入力されてもよい。そして、表示制御部３０５が、上記入力された画像信号と現在表示されている画像の信号とを合成して合成画像信号を生成し、出力してもよい。即ち、表示画像を切り替えずに、現在表示されている画像（例えば単体表示画像）に外部パッチ画像が重畳された画像が表示されてもよい。
【００７０】
なお、本実施例ではユーザによる外部入力画像への表示画像の切り替え操作があった場合に、連携キャリブレーションを実行するか否かを判断するものとしたが、このような構成でなくてもよい。入力有無検出部３１０が、外部入力画像信号の入力が有ると判定した際に、表示制御部３０５に表示画像を外部入力画像へ切り替える指示をし、自動的に表示画像が外部入力画像へ切り替えられてもよい。また、入力有無検出部３１０が、外部入力画像信号の入力が有ると判定した際に、外部パッチ画像（または外部パッチ画像とその近傍）のみを現在表示されている画像に重畳表示し、連携キャリブレーションを実行するか否かが判断されてもよい。なお、外部パッチ画像のみを現在表示されている画像に重畳表示する際には、外部入力画像用パラメータを使用して画像が表示される。
【００７１】
なお、本実施例ではユーザ操作により通常キャリブレーションが実行されるものとしたが、この構成に限らない。通常キャリブレーションは自動的に実行されてもよい。例えば、通常キャリブレーションは所定のスケジュールに従って定期的に実行されてもよい。通常キャリブレーションは、外部装置（ＰＣ１０１やネットワークを介して接続されているサーバなど）からの指示に応じて実行されてもよい。
また、キャリブレーションを実行するためのスケジュールが予め定められている場合には、通常キャリブレーション実行確認ウィンドウが、該スケジュールに従って定期的に表示されてもよい。また、外部装置からキャリブレーションの実行が指示された場合に、該指示に応じて通常キャリブレーション実行確認ウィンドウが表示されてもよい。
【００７２】
なお、本実施例では、外部装置の出力設定または第２の表示設定が前回の外部入力画像表示時の設定と異なると判定された場合に、連携キャリブレーションの実行・非実行をユーザに確認する構成としたが、この構成に限らない。外部装置の出力設定または第２の表示設定が前回の外部入力画像表示時の設定と異なると判定された場合に、ユーザへの確認
を行わずに、自動的に連携キャリブレーションが実行されてもよい。
【００７３】
なお、本実施例では、表示装置１００とＰＣ１０１との間の画像信号以外の信号（パッチ送信要求信号やパッチ送信完了信号）は、画像ケーブルとは異なる通信ケーブルを用いて伝送されてもよい。例えば、画像信号以外の信号は、ＵＳＢ（Ｕｎｉｖｅｒｓａｌ  Ｓｅｒｉａｌ  Ｂｕｓ）ケーブルを用いて伝送されてもよい。
なお、本実施例では、表示装置１００、ＰＣ１０１、画像サーバ１０３がネットワークケーブル１０４で互いに接続されるものとしたが、表示装置１００、ＰＣ１０１、画像サーバ１０３は無線で通信可能に接続されてもよい。
なお、本実施例では、表示装置が液晶表示装置である場合の例について説明したが、表示装置はこれに限らない。表示装置は、有機ＥＬ表示装置、プラズマ表示装置などであってもよい。
なお、本実施例では、外部入力画像用パラメータが１つ決定される構成としたが、この構成に限らない。表示装置１００が接続されている外部装置（ＰＣ）を認識し、外部装置毎に外部入力画像用パラメータが決定されてもよい。
【００７４】
＜実施例２＞
本実施例では、連携キャリブレーションの目標値として、単体キャリブレーションの結果（単体表示画像用パラメータで表示された内部パッチ画像の輝度及び色度）を用いる例について記述する。なお、実施例１と重複する部分については、記述を省略する。
【００７５】
本発明の実施例２に係る表示装置の機能ブロック図は実施例１（図３）と同様である。
本実施例のキャリブレーション実行制御部３０３は、表示比較部３１１からの連携キャリブレーション実行要求信号に応じて連携キャリブレーションを行う際に、内部パッチ画像の測定結果を目標値とする。キャリブレーション実行制御部３０３は、他に、実施例１と同様の機能を有する。
本実施例の表示制御部３０５は、単体表示画像から外部入力画像へ表示画像を切り替える際に、当該切り替え前に表示比較部３１１に対して切り替え前データ取得要求信号を出力し、当該切り替え後に表示比較部３１１に表示比較要求信号を出力する。表示制御部３０５は、他に、実施例１と同様の機能を有する。切り替え前データ取得要求信号は、第１の表示設定（単体表示画像用パラメータ）で表示された内部パッチ画像の輝度及び色度の取得を要求する信号である。
【００７６】
本実施例の表示比較部３１１は、表示制御部３０５からの切り替え前データ取得要求信号の受信に応じて、予め記憶されている内部パッチ信号を表示制御部３０５に出力する。それにより、単体表示画像用パラメータで内部パッチ画像が表示される。その際、表示比較部３１１は、測定要求信号を測色部３０７へ出力する。そして、表示比較部３１１は、測色部３０７から、輝度・色度センサ２１０の測定結果（内部パッチ画像の輝度及び色度）を取得し、該測定結果を切り替え前データとして記憶する。また、表示比較部３１１は、切り替え前データを記憶した後、切り替え前データ取得完了信号を表示制御部３０５に出力する。
また、表示比較部３１１は、表示制御部３０５からの表示比較要求信号の受信に応じて、ＰＣ通信部３０９にパッチ送信要求信号を出力する。それにより、ＰＣ１０１から外部パッチ信号が入力され、外部パッチ画像が表示される。その際、表示比較部３１１は、測定要求信号を測色部３０７へ出力する。そして、表示比較部３１１は、測色部３０７から輝度・色度センサ２１０の測定結果（外部パッチ画像の輝度及び色度）を取得する。その後、表示比較部３１１は、切り替え前データと測定結果を比較する。当該比較により、外部装置の出力設定または外部入力画像用パラメータが前回の外部入力画像表示時の設定と異なるか否かが判定され、異なると判定された場合には連携キャリブレーションを実行する必要があると判断される。そして、表示比較部３１１は、連携キャリブレーションを実
行する必要があると判断した場合に、キャリブレーション実行制御部３０３に連携キャリブレーションの実行を要求する。
表示比較部３１１の判定処理の詳細については後述する。
【００７７】
図１５は、ユーザ操作によりＵＩ部３０１から切り替え要求信号を受信した際の表示制御部３０５の処理（選択信号切替処理）の流れの一例を示すフローチャートである。
まず、表示制御部３０５は、切り替え前に（現在）表示されている画像が単体表示画像か否かを確認する（Ｓ１７０１）。
表示されている画像が単体表示画像である場合には（Ｓ１７０２：ＹＥＳ）、表示制御部３０５は、表示比較部３１１に切り替え前データ取得要求信号を送信し（Ｓ１７０３）、切り替え前データ取得完了信号を受信するまで待機する（Ｓ１７０４）。表示制御部３０５は、切り替え前データ取得完了信号を受信した後、図１０に示した処理を実行する（Ｓ１７０５）。
表示されている画像が外部入力画像である場合には、表示制御部３０５は、Ｓ１７０３〜Ｓ１７０４の処理を行わず、Ｓ１７０５の処理を行う。
【００７８】
図１６は、表示制御部３０５から切り替え前データ取得要求信号を受信した際の、表示比較部３１１の処理（切り替え前データ記憶処理）の流れの一例を示すフローチャートである。
まず、表示比較部３１１は、所定のパッチ画像数分、Ｓ１８０２〜Ｓ１８０５の処理を繰り返す（Ｓ１８０１）。
Ｓ１８０２において、表示比較部３１１は、表示制御部３０５に内部パッチ信号を出力する。表示制御部３０５は、現在表示されている画像の信号に、受信した内部パッチ信号を合成することにより合成画像信号を生成し、出力する。それにより、現在表示されている画像に内部パッチ画像が重畳された画像が表示される。このとき、表示制御部３０５では、単体表示画像（信号）が選択されている。そのため、内部パッチ画像は、単体表示画像用パラメータを使用して表示される。また、このとき、表示比較部３１１は、測定要求信号を測色部３０７へ出力する。それにより、輝度・色度センサ２１０で上記内部パッチ画像の輝度及び色度が測定され、測定結果が測色部３０７で取得される。
次に、表示比較部３１１は、測色部３０７から、表示された内部パッチ画像の輝度及び色度を取得する（Ｓ１８０３）。
そして、Ｓ１８０１へ処理が戻される（Ｓ１８０４）。
【００７９】
所定のパッチ画像数分、Ｓ１８０２〜Ｓ１８０５の処理が繰り返された後、表示比較部３１１は、取得した測定結果（輝度及び色度）を切り替え前データとして記憶する（Ｓ１８０５）。
そして、表示比較部３１１は、表示制御部３０５へ切り替え前データ取得完了信号を送信する（Ｓ１８０６）。
【００８０】
図１７は、表示制御部３０５から表示比較要求信号を受信した際の、表示比較部３１１の処理（比較処理）の流れの一例を示すフローチャートである。
まず、表示比較部３１１は、所定のパッチ画像数分、Ｓ１９０２〜Ｓ１９０５の処理を繰り返す（Ｓ１９０１）。
Ｓ１９０２において、表示比較部３１１は、ＰＣ通信部３０９にパッチ送信要求信号を送信する。それにより、ＰＣ通信部３０９からＰＣ１０１へパッチ送信要求信号が送信される。
次に、表示比較部３１１は、画像入力部３０８がＰＣ１０１から外部パッチ信号を受信し、ＰＣ通信部３０９がＰＣ１０１からパッチ送信完了信号を受信するまで待機する（Ｓ１９０３）。外部パッチ信号の受信が完了すると、ＰＣ通信部３０９でパッチ送信完了信号が受信され、ＰＣ通信部３０９から表示比較部３１１へパッチ送信完了信号が送信され
る。このとき、表示制御部３０５では画像入力部３０８が出力する外部入力画像信号（外部パッチ画像を含む）が選択されている。そのため、ＰＣ１０１から外部パッチ信号が受信されると、画面にＰＣ１０１から出力された外部パッチ信号に基づく外部パッチ画像が外部入力画像用パラメータを用いて表示される。
そして、表示比較部３１１は、パッチ送信完了信号を受信すると、測定要求信号を測色部３０７へ出力する。それにより、輝度・色度センサ２１０で上記外部パッチ画像の輝度及び色度が測定され、測定結果が測色部３０７で取得される。そして、表示比較部３１１は、測色部３０７から、表示された外部パッチ画像の輝度及び色度を取得する（Ｓ１９０４）。
次に、Ｓ１９０１へ処理が戻される（Ｓ１９０５）。
【００８１】
所定のパッチ画像数分、Ｓ１９０２〜Ｓ１９０５の処理が繰り返された後、Ｓ１９０６へ処理が進められる。
Ｓ１９０６では、表示比較部３１１は、図１６の処理で記憶した切り替え前データを取得する。
次に、表示比較部３１１は、Ｓ１９０４で取得した測定結果（輝度及び色度）と、Ｓ１９０６で取得した切り替え前データの値とを比較する（Ｓ１９０７）。当該比較により、外部装置の出力設定または外部入力画像用パラメータが前回の外部入力画像表示時の設定と異なるか否かが判定される。即ち、本実施例では切り替え前データの値が目標値とされる。なお、切り替え前データが存在しない場合には、実施例１と同様に、測定結果は、理論的に算出された目標値と比較される。
切り替え前データの値に対して所定の誤差範囲内に収まっていない測定結果がある場合には（Ｓ１９０８：ＹＥＳ）、表示比較部３１１は、外部装置の出力設定または外部入力画像用パラメータが前回の外部入力画像表示時の設定と異なると判定する。そして、表示比較部３１１は、連携キャリブレーションを実行する必要があると判断し、キャリブレーション実行制御部３０３に連携キャリブレーション実行要求信号を出力する（Ｓ１９０９）。
全ての測定結果が切り替え前データの値に対して所定の誤差範囲内に収まっている場合には（Ｓ１９０８：ＮＯ）、表示比較部３１１は、外部装置の出力設定または外部入力画像用パラメータが前回の外部入力画像表示時の設定と同じであると判定する。そして、そのまま処理が終了される。
【００８２】
このように、本実施例では、外部入力画像を表示する際に、外部入力画像用パラメータで外部パッチ画像が表示される。そして、該外部パッチ画像の特定値と、単体表示画像用パラメータで表示された内部パッチ画像の測定値との差の絶対値が所定の閾値より大きい場合に、外部装置の出力設定または第２の表示設定が前回の外部入力画像表示時の設定と異なると判定される。即ち、本実施例では、第１の表示設定（単体表示画像用パラメータ）で表示装置に予め記憶されている内部パッチ画像を表示中に、輝度・色度センサ２１０で測定された該内部パッチ画像の測定値が目標値として用いられる。
なお、本実施例では、切り替え前の表示画像が外部入力画像であった場合（即ち、結果的に表示画像が切り替えられなかった場合）には、切り替え前データの取得は行わない構成としたが、この構成に限らない。切り替え前の表示画像に拘わらわず切り替え前データとして内部パッチ画像の測定結果が取得されてもよい。また、切り替え前の表示画像が外部入力画像である場合には、外部装置の出力設定及び外部入力画像用パラメータは所望の設定となっている可能性が高いため、図１７の比較処理（判定処理）は行われなくてもよい。
【００８３】
図１８は、表示比較部３１１から連携キャリブレーション実行要求信号を受信した際の、キャリブレーション実行制御部３０３の処理（非通常連携キャリブレーション）の流れの一例を示すフローチャートである。
まず、キャリブレーション実行制御部３０３は、ＵＩ部３０１に連携キャリブレーション実行確認ウィンドウの表示を要求する（Ｓ２００１）。
次に、キャリブレーション実行制御部３０３は、ＵＩ部３０１からユーザによる連携キャリブレーションを実行するか否かの選択結果を受信する（Ｓ２００２）。
ユーザが連携キャリブレーションの実行を選択した場合（Ｓ２００３：ＹＥＳ）、キャリブレーション実行制御部３０３は、切り替え前データから最大目標輝度値、目標カーブを算出する（Ｓ２００４）。そして、キャリブレーション実行制御部３０３は、算出した最大目標輝度、目標カーブを用いて、図９に示した連携キャリブレーションを実行する（Ｓ２００５）。
ユーザが連携キャリブレーションの非実行を選択した場合（Ｓ２００３：ＮＯ）、キャリブレーション実行制御部３０３は、一定時間待機し（Ｓ２００６）、処理をＳ２００１へ戻す。
【００８４】
以上述べたように、本実施例によれば、単体表示画像用パラメータで表示装置に予め記憶されている内部パッチ画像を表示中に、輝度・色度センサ２１０で測定された該内部パッチ画像の測定値が目標値として用いられる。連携キャリブレーションと単体キャリブレーションの目標値は同じであるため、単体キャリブレーションの結果は目標値として用いることができる。そのため、本実施例によれば、実施例１の効果に準じた効果を得ることができる。
なお、本実施例では表示画像が単体表示画像から外部入力画像へ切り替える際に、内部パッチ画像の測定結果を取得する構成としたが、この構成に限らない。例えば、内部パッチ画像の測定結果は、前回の単体キャリブレーションの実行時（最後の単体キャリブレーションの実行時）に取得されたものであってもよい。また、内部パッチ画像の測定結果は、定期的に取得されてもよい。
【００８５】
＜実施例３＞
本実施例では、過去の単体キャリブレーションの実行日時と連携キャリブレーションの実行日時に基づいて、第２の表示設定（外部入力画像用パラメータ）が前回の外部入力画像表示時の設定と異なるか否かを判定する例について記述する。即ち、過去の単体キャリブレーションの実行日時と連携キャリブレーションの実行日時に基づいて、連携キャリブレーションを実行するか否かを判断する例について記述する。なお、実施例１，２と重複する部分については、記述を省略する。
【００８６】
図１９は、本発明の実施例３に係る表示システムの一例を示す図である。既に述べたように、表示装置に接続する外部装置（ＰＣ）は変更可能である。図１９（Ａ）の例では、表示装置１１０にＰＣ１１１が画像ケーブル１１２を用いて接続されている。図１９（Ｂ）の例では、表示装置１１０とＰＣ１１１は接続されておらず、表示装置１１０にＰＣ１１３が画像ケーブル１１４を用いて接続されている。表示装置１１０は、ＰＣ１１１，１１３から画像ケーブル１１２，１１４を介してＰＣ識別情報を取得する。ＰＣ識別情報は、接続されているＰＣを識別するための情報である。ＰＣ１１１，１１３のＰＣ識別情報は、例えば、ユーザが予めＰＣ１１１，１１３に設定した値である。
【００８７】
図２０は、時刻と表示装置１１０に接続されている外部装置（ＰＣ）の関係の一例を示す図である。図２０の例では、時刻ｔ０〜時刻ｔ１及び時刻ｔ４以降では表示装置１１０にＰＣ１１１が接続されている。時刻ｔ２〜時刻ｔ３では表示装置１１０にＰＣ１１３が接続されている。時刻ｔ１〜時刻ｔ２及び時刻ｔ３〜時刻ｔ４では表示装置１１０にＰＣは接続されておらず、表示装置１１０は単体で動作している。なお、図２０の黒三角は通常キャリブレーションが実行された時刻を表す。すなわち、図２０の例では、表示装置１１０にＰＣ１１１が接続されている時刻ｔ０及び表示装置１１０にＰＣ１１３が接続されている時刻ｔ２に単体キャリブレーションと連携キャリブレーションの両方が実行されて
いる。また、表示装置１１０にＰＣが接続されていない時刻ｔｃ１に単体キャリブレーションが実行されている。
【００８８】
図２１は、本実施例に係る表示装置１１０の機能ブロック図である。
キャリブレーション実行制御部３２０３は、外部装置毎に、連携キャリブレーションの実行、及び、第２の表示設定（外部入力画像用パラメータ）の決定を行う。
具体的には、キャリブレーション実行制御部３２０３は、連携キャリブレーションの実行時に、ＰＣ通信部３２０９を介して、接続されているＰＣ（ＰＣ１１１またはＰＣ１１３）からＰＣ識別情報を取得する。そして、キャリブレーション実行制御部３２０３は、連携キャリブレーションの実行後、決定した外部入力画像用パラメータをパラメータ管理部３２０４に出力する際に、取得したＰＣ識別情報をあわせて出力する。
キャリブレーション実行制御部３２０３は、他に、図３のキャリブレーション実行制御部３０３の機能と同様の機能を有する。
【００８９】
パラメータ管理部３２０４は、入力された外部入力画像用パラメータを、共に入力されたＰＣ識別情報と関連づけて不揮発性メモリ２０３に書き込む。また、パラメータ管理部３２０４は、単体表示画像用パラメータを不揮発性メモリ２０３に書き込む際に、その書き込み時刻を単体キャリブレーションの実行日時として不揮発性メモリ２０３に書きこむ。パラメータ管理部３２０４は、外部入力画像用パラメータを不揮発性メモリ２０３に書き込む際に、その書き込み時刻を連携キャリブレーションの実行日時として不揮発性メモリ２０３に書きこむ。即ち、不揮発性メモリ２０３は、過去の単体キャリブレーションの実行日時と、過去の連携キャリブレーションの実行日時とを記憶する。また、連携キャリブレーションに関しては、外部装置毎に、連携キャリブレーションの過去の実行日時が記憶される。パラメータ管理部３２０４は、他に、図３のパラメータ管理部３０４の機能と同様の機能を有する。
【００９０】
表示制御部３２０５は、外部入力画像を選択した際に、ＰＣ通信部３２０９及び入力有無検出部３２１０を介してＰＣ識別情報を取得する。そして、表示制御部３２０５は、ＰＣ識別情報に対応した画質調整パラメータを使用するよう、画質調整パラメータ切り替え指示を画像処理回路２０５に出力する。また、表示制御部３２０５は、表示比較部３２１１にＰＣ識別情報に対応したバックライト発光パラメータを使用するよう、バックライト発光パラメータ切り替え指示をバックライト制御部３０６に出力する。また、表示制御部３２０５は、表示比較部３２１１に表示比較要求信号を出力する際に、ＰＣ識別情報もあわせて出力する。表示制御部３２０５は、他に、図３の表示制御部３０５の機能と同様の機能を有する。
【００９１】
ＰＣ通信部３２０９は、キャリブレーション実行制御部３２０３及び入力有無検出部３２１０からの要求に応じて、画像入力回路２０４を介して外部装置（ＰＣ１１１またはＰＣ１１３）にＰＣ識別情報取得要求信号を出力する。外部装置は、ＰＣ識別情報取得要求信号を受信すると、応答信号として自身のＰＣ識別情報を出力する。ＰＣ通信部３２０９は、画像入力回路２０４を介してＰＣ１１１またはＰＣ１１３からＰＣ識別情報を取得し、キャリブレーション実行制御部３２０３または入力有無検出部３２１０（要求の送信元）に出力する。
【００９２】
入力有無検出部３２１０は、画像入力部３０８から入力検出信号を受信すると、ＰＣ通信部３２０９を介してＰＣ識別情報を取得し記憶する。入力有無検出部３２１０は、他に、図３の入力有無検出部３１０の機能と同様の機能を有する。
【００９３】
表示比較部３２１１は、表示制御部３２０５から表示比較要求信号及びＰＣ識別情報を受信すると、パラメータ管理部３２０４から単体キャリブレーションの実行日時、連携キ
ャリブレーションの実行日時を取得して比較する。当該比較により、外部入力画像用パラメータが前回の外部入力画像表示時の設定と異なるか否かが判定され、異なると判定された場合には連携キャリブレーションを実行する必要があると判断される。そして、表示比較部３２１１は、連携キャリブレーションを実行する必要があると判断した場合に、キャリブレーション実行制御部３２０３に連携キャリブレーションの実行を要求する。
表示比較部３２１１の判定処理の詳細については後述する。
【００９４】
図２２は、ユーザ操作によりＵＩ部３０１から切り替え要求信号を受信した際の表示制御部３２０５の処理（選択信号切替処理）の流れの一例を示すフローチャートである。
まず、表示制御部３２０５は、入力有無検出部３２１０からＰＣ識別情報を取得する（Ｓ２４０１）。
【００９５】
次に、表示制御部３２０５は、画像処理回路２０５に対して、使用する画質調整パラメータを、表示切り替え後の画像信号に対応する画質調整パラメータに切り替えるよう、画質調整パラメータ切り替え指示を送信する（Ｓ２４０２）。具体的には、表示制御部３２０５は、表示切り替え後の画像信号が外部入力画像信号である場合には、Ｓ２４０１で取得されたＰＣ識別情報から該外部入力画像信号の出力元のＰＣを識別する。そして、例えば、表示切り替え後の画像信号がＰＣ１１３からの外部入力画像信号である場合には、表示制御部３２０５は、ＰＣ１１３から入力される外部入力画像信号用の画質調整パラメータが使用されるように、画質調整パラメータ切り替え指示を送信する。また、表示制御部３２０５は、表示切り替え後の画像信号が単体表示画像信号である場合には、単体表示画像信号用の画質調整パラメータが使用されるように、画質調整パラメータ切り替え指示を送信する。
【００９６】
そして、表示制御部３２０５は、バックライト制御部３０６に対して、使用するパラメータを、表示切り替え後の画像信号に対応するバックライト発光パラメータに切り替えるよう、バックライト発光パラメータ切り替え指示を送信する（Ｓ２４０３）。
【００９７】
次に、表示制御部３２０５は、切り替え要求信号に基づいて、出力する画像信号を切り替える（Ｓ２４０４）。
そして、表示制御部３２０５は、切り替え要求信号に基づいて、切り替え後に表示される画像が単体表示画像か外部入力画像かを判断する（Ｓ２４０５）。
切り替え後に表示される画像が外部入力画像である場合には（Ｓ２４０６：ＹＥＳ）、表示制御部３２０５は、表示比較部３２１１に表示比較要求信号とＳ２４０１で取得されたＰＣ識別情報とを送信する（Ｓ２４０７）。
切り替え後に表示される画像が単体表示画像である場合には（Ｓ２４０６：ＮＯ）、表示制御部３２０５は、そのまま処理を終了する。
【００９８】
図２３は、表示制御部３２０５から表示比較要求信号とＰＣ識別情報を受信した際の、表示比較部３２１１の処理（比較処理）の流れの一例を示すフローチャートである。
まず、表示比較部３２１１は、パラメータ管理部３２０４からＰＣ識別情報に対応する連携キャリブレーションの実行日時（Ｔｒ）を取得する（Ｓ２５０１）。
連携キャリブレーションの実行日時が取得できた場合には（Ｓ２５０２：ＹＥＳ）、Ｓ２５０３へ処理が進められる。
連携キャリブレーションの実行日時が取得できなかった場合には（Ｓ２５０２：ＮＯ）、これまでに（ＰＣ識別情報で示されるＰＣについての）連携キャリブレーションが行われていない。そのため、ユーザが所望する外部入力画像用パラメータが設定されていない可能性が高い。そこで、本実施例では、そのような場合に、表示比較部３２１１は、外部入力画像用パラメータが前回の外部入力画像表示時の設定と異なると判定する。そして、表示比較部３２１１は、連携キャリブレーションを実行する必要があると判断し、キャリ
ブレーション実行制御部３２０３に連携キャリブレーション実行要求信号を出力する（Ｓ２５０６）。
【００９９】
Ｓ２５０３において、表示比較部３２１１は、パラメータ管理部３２０４から単体キャリブレーションの実行日時（Ｔｔ）を取得する。
そして、表示比較部３２１１は、Ｓ２５０１で取得した連携キャリブレーションの実行日時と、Ｓ２５０３で取得した単体キャリブレーションの実行日時とを比較する（Ｓ２５０４）。当該比較により、外部入力画像用パラメータ（具体的にはユーザが所望するパラメータ）が前回の外部入力画像表示の設定と異なるか否かが判定される。
連携キャリブレーションの実行日時が単体キャリブレーションの実行日時よりも前である場合には（Ｓ２５０５：ＹＥＳ）、ユーザが所望する外部入力画像用パラメータが前回の設定と異なる可能性が高い。そこで、本実施例では、そのような場合に、表示比較部３２１１は、外部入力画像用パラメータが前回の外部入力画像表示時の設定と異なると判定する。そして、表示比較部３２１１は、連携キャリブレーションを実行する必要があると判断し、キャリブレーション実行制御部３２０３に連携キャリブレーション実行要求信号を出力する（Ｓ２５０６）。
連携キャリブレーションの実行日時が単体キャリブレーションの実行日時以降である場合には（Ｓ２５０５：ＮＯ）、表示比較部３２１１は、外部入力画像用パラメータが前回の外部入力画像表示時の設定と同じであると判定し、そのまま処理を終了する。
【０１００】
このように、本実施例では、外部装置から入力された画像信号に基づく外部入力画像を表示する際に、該外部装置の連携キャリブレーションが過去に実行されていない場合に、外部入力画像用パラメータが前回の外部入力画像表示時の設定と異なると判定される。また、上記連携キャリブレーションの最後の実行日時が単体キャリブレーションの最後の実行日時よりも前である場合に、外部入力画像用パラメータが前回の外部入力画像表示時の設定と異なると判定される。
【０１０１】
図２０の時刻ｔ４では、ＰＣ１１１に対応する連携キャリブレーションの実行時刻は時刻ｔ０であり、単体キャリブレーションの実行時刻は時刻ｔｃ１（時刻ｔ０よりも前）である。そのため、表示比較部３２１１は、図２３のフローチャートに基づいて、キャリブレーション実行制御部３２０３に連携キャリブレーション実行要求信号を出力する。
【０１０２】
以上述べたように、本実施例によれば、単体キャリブレーションの実行時刻と連携キャリブレーションの実行時刻とを比較するという簡易な方法で第２の表示設定が前回の外部入力画像表示時の設定と異なるか否かを判定することができる。それにより、実施例１，２の方法のように画面（輝度や色度）の測定を行わずに済むため、処理負荷を軽減することができる。
なお、本実施例では、ＰＣ毎に連携キャリブレーションの実行日時が記憶されるものとしたが、ＰＣ毎に区別せずに連携キャリブレーションの実行日時が記憶されていてもよい。連携キャリブレーションの最後の実行日時が単体キャリブレーションの最後の実行日時よりも前である場合には、ユーザが所望する第２の表示設定が前回の外部入力画像表示時の設定と異なる可能性が高い。そのため、そのような場合には、最後に実行した連携キャリブレーションが現在接続されている外部装置に対するものかに拘わらず、第２の表示設定が前回の外部入力画像表示時の設定と異なると判定されてもよい。
【符号の説明】
【０１０３】
２１０  輝度・色度センサ
３０３，３２０３  キャリブレーション実行制御部
３１１，３２１１  表示比較部
【図１】
0005932258.tif 000002
【図２】
0005932258.tif 000003
【図３】
0005932258.tif 000004
【図４】
0005932258.tif 000005
【図５】
0005932258.tif 000006
【図６】
0005932258.tif 000007
【図７】
0005932258.tif 000008
【図８】
0005932258.tif 000009
【図９】
0005932258.tif 000010
【図１０】
0005932258.tif 000011
【図１１】
0005932258.tif 000012
【図１２】
0005932258.tif 000013
【図１３】
0005932258.tif 000014
【図１４】
0005932258.tif 000015
【図１５】
0005932258.tif 000016
【図１６】
0005932258.tif 000017
【図１７】
0005932258.tif 000018
【図１８】
0005932258.tif 000019
【図１９】
0005932258.tif 000020
【図２０】
0005932258.tif 000021
【図２１】
0005932258.tif 000022
【図２２】
0005932258.tif 000023
【図２３】
0005932258.tif 000024